(57)【要約】【課題】整列部材やグランド部材にサイズや形状のバラつきがあったとしても、グランド部材を整列部材に適切に取り付けることができ、グランド部材とコンタクトの位置決めを適切に行うことのできるコネクタを提供すること。【解決手段】上側のコンタクト部材２０Ｕの整列部材４０に２つの圧入突起６０と島状突起７０とを設け、下側のコンタクト部材２０Ｌの整列部材４０に２つの圧入突起６０と島状突起７０とを設ける。島状突起７０は、Ｘ方向において圧入突起６０よりも大きなサイズを有している。グランド部材８０の平板状の主部９０には、４つの孔９４と２つの突起収容部９６を形成する。圧入突起６０を孔９４に圧入することで、グランド部材８０を各整列部材４０に確実に取り付けることができる。その際、島状突起７０が突起収容部９６に収容されることで回転ズレが抑制される。【選択図】図１４
2015230771.tif 000002
【特許請求の範囲】
【請求項１】
前後方向に沿って相手側コネクタと嵌合可能なコネクタであって、
前記コネクタは、コンタクト部材と、グランド部材とを備えており、
前記コンタクト部材は、複数のコンタクトと、前記コンタクトを前記前後方向と直交するピッチ方向に整列させると共に保持する整列部材とを備えており、
前記整列部材には、２つの圧入突起と、島状突起とが設けられており、
前記圧入突起は、前記前後方向と前記ピッチ方向の双方と直交する突出方向に突出しており、
前記島状突起は、前記突出方向に突出すると共に前記突出方向と直交する所定方向に長手を有するように延びており、
前記島状突起の前記所定方向におけるサイズは、前記圧入突起の前記所定方向におけるサイズよりも大きく、
前記グランド部材は、平板状の主部を有しており、
前記グランド部材の前記主部には、２つの孔と、突起収容部が形成されており、
前記圧入突起は前記孔に圧入されており、前記島状突起は前記突起収容部に収容されている
コネクタ。
【請求項２】
請求項１記載のコネクタであって、
前記相手側コネクタは、相手側ロック部を有しており、
前記グランド部材は、前記相手側ロック部をロックするロック部と、前記ロック部を支持するロックバネ部とを有しており、
前記ロックバネ部の根元から前記圧入突起までの距離は、前記根元から前記島状突起までの距離より短い
コネクタ。
【請求項３】
請求項１又は請求項２記載のコネクタであって、
前記突起収容部は、前記突出方向と直交する平面内において、前記グランド部材の前記主部の端部まで達している
コネクタ。
【請求項４】
請求項１乃至請求項３のいずれかに記載のコネクタであって、
前記コンタクト部材を２つ備えており、
２つの前記コンタクト部材は、互いに同一構造を有しており、
前記グランド部材の前記主部には、前記２つの孔と前記突起収容部とが２組形成されており、
一方の組の前記２つの孔と他方の組の前記２つの孔とは、前記グランド部材の前記ピッチ方向における中心を通り且つ前記前後方向に延びる直線に対して互いに線対称となるように配置されている
コネクタ。
【請求項５】
請求項１乃至請求項４のいずれかに記載のコネクタであって、
前記圧入突起の夫々は、前記突出方向に延びる主突部と、複数の副突部とを有しており、
前記突出方向と直交する平面内において、前記主突部は、前記グランド部材の前記主部の孔よりも小さく、
前記副突部の夫々は、前記主突部から前記突出方向と直交する方向に突出すると共に前記突出方向に延びている
コネクタ。
【請求項６】
請求項１乃至請求項５のいずれかに記載のコネクタであって、
前記整列部材には、前記圧入突起にそれぞれ対応する２つの凹部が形成されており、
前記凹部の夫々は、前記突出方向と逆方向に凹んでおり、
前記圧入突起は、対応する前記凹部内から前記突出方向に突出している
コネクタ。
【請求項７】
請求項１乃至請求項６のいずれかに記載のコネクタであって、
前記コンタクト部材と前記グランド部材をまとめて保持する保持部材を更に備えている
コネクタ。
【発明の詳細な説明】
【技術分野】
【０００１】
本発明は、コンタクトから絶縁され且つそのコンタクトの近傍に配置された板状の部位を有するグランド部材を備えるコネクタに関する。
【背景技術】
【０００２】
図１６に示されるように、特許文献１のコネクタは、２つのコンタクト部材と、グランド部材とを備えている。コンタクト部材は、複数のコンタクトと、それらを整列させると共に保持する整列部材とを備えている。一方の整列部材には、凸部が形成されている。他方の整列部材には、凸部に対応する凹部（図示せず）が形成されている。グランド部材は、平板状の主部を有している。主部には、凸部に対応する孔が形成されている。凸部を孔に通し凹部に嵌めることにより、グランド部材の主部は、整列部材の間に挟まれる。
【先行技術文献】
【特許文献】
【０００３】
【特許文献１】特開２００５−３２７７０１号公報
【発明の概要】
【発明が解決しようとする課題】
【０００４】
特許文献１の構造では、整列部材やグランド部材のサイズや形状のバラつきにより、孔が凸部よりも大きすぎてグランド部材がガタついてしまう場合もある。
【０００５】
そこで、本発明は、整列部材やグランド部材にサイズや形状のバラつきがあったとしても、グランド部材を整列部材に適切に取り付けることができ、グランド部材とコンタクトの位置決めを適切に行うことのできるコネクタを提供することを目的とする。
【課題を解決するための手段】
【０００６】
本発明は、第１のコネクタとして、
前後方向に沿って相手側コネクタと嵌合可能なコネクタであって、
前記コネクタは、コンタクト部材と、グランド部材とを備えており、
前記コンタクト部材は、複数のコンタクトと、前記コンタクトを前記前後方向と直交するピッチ方向に整列させると共に保持する整列部材とを備えており、
前記整列部材には、２つの圧入突起と、島状突起とが設けられており、
前記圧入突起は、前記前後方向と前記ピッチ方向の双方と直交する突出方向に突出しており、
前記島状突起は、前記突出方向に突出すると共に前記突出方向と直交する所定方向に長手を有するように延びており、
前記島状突起の前記所定方向におけるサイズは、前記圧入突起の前記所定方向におけるサイズよりも大きく、
前記グランド部材は、平板状の主部を有しており、
前記グランド部材の前記主部には、２つの孔と、突起収容部が形成されており、
前記圧入突起は前記孔に圧入されており、前記島状突起は前記突起収容部に収容されている
コネクタを提供する。
【０００７】
本発明は、第２のコネクタとして、第１のコネクタであって、
前記相手側コネクタは、相手側ロック部を有しており、
前記グランド部材は、前記相手側ロック部をロックするロック部と、前記ロック部を支持するロックバネ部とを有しており、
前記ロックバネ部の根元から前記圧入突起までの距離は、前記根元から前記島状突起までの距離より短い
コネクタを提供する。
【０００８】
本発明は、第３のコネクタとして、第１又は第２のコネクタであって、
前記突起収容部は、前記突出方向と直交する平面内において、前記グランド部材の前記主部の端部まで達している
コネクタを提供する。
【０００９】
本発明は、第４のコネクタとして、第１乃至第３のいずれかのコネクタであって、
前記コンタクト部材を２つ備えており、
２つの前記コンタクト部材は、互いに同一構造を有しており、
前記グランド部材の前記主部には、前記２つの孔と前記突起収容部とが２組形成されており、
一方の組の前記２つの孔と他方の組の前記２つの孔とは、前記グランド部材の前記ピッチ方向における中心を通り且つ前記前後方向に延びる直線に対して互いに線対称となるように配置されている
コネクタを提供する。
【００１０】
本発明は、第５のコネクタとして、第１乃至第４のいずれかのコネクタであって、
前記圧入突起の夫々は、前記突出方向に延びる主突部と、複数の副突部とを有しており、
前記突出方向と直交する平面内において、前記主突部は、前記グランド部材の前記主部の孔よりも小さく、
前記副突部の夫々は、前記主突部から前記突出方向と直交する方向に突出すると共に前記突出方向に延びている
コネクタを提供する。
【００１１】
本発明は、第６のコネクタとして、第１乃至第５のいずれかのコネクタであって、
前記整列部材には、前記圧入突起にそれぞれ対応する２つの凹部が形成されており、
前記凹部の夫々は、前記突出方向と逆方向に凹んでおり、
前記圧入突起は、対応する前記凹部内から前記突出方向に突出している
コネクタを提供する。
【００１２】
本発明は、第７のコネクタとして、第１乃至第６のいずれかのコネクタであって、
前記コンタクト部材と前記グランド部材をまとめて保持する保持部材を更に備えている
コネクタを提供する。
【発明の効果】
【００１３】
本発明においては、整列部材の圧入突起をグランド部材の主部に形成された孔に圧入することとしたため、整列部材やグランド部材にサイズや形状のバラつきがあったとしても、グランド部材を整列部材に対してガタつきなしで確実に取り付けることができる。
【００１４】
島状突起を設けない場合には、圧入時の圧入突起の削れ方に偏りが出ると、圧入突起の突出方向と直交する平面内においてグランド部材と整列部材の位置関係にズレ（回転ズレ）が生じるおそれがある。これに対して、本発明においては、島状突起を設けることとしたため、そのような回転ズレを抑制することができる。
【図面の簡単な説明】
【００１５】
【図１】本発明の実施の形態によるコネクタを示す分解斜視図である。
【図２】図１のコネクタを示す斜視図である。
【図３】図１のコネクタに含まれる上側のコンタクト部材を示す上面斜視図である。図示されたコンタクト部材は、グランド部材に取り付けられる前の形状を有している。
【図４】図３のコンタクト部材を示す底面斜視図である。
【図５】図３のコンタクト部材を示す底面図である。
【図６】図３のコンタクト部材を示す正面図である。
【図７】図４のコンタクト部材の一部を示す拡大図である。
【図８】図５のコンタクト部材の一部を示す拡大図である。
【図９】図６のコンタクト部材の一部を示す拡大図である。
【図１０】図１のコネクタに含まれるグランド部材を示す上面図である。
【図１１】図１のコネクタに含まれる上側のコンタクト部材と、下側のコンタクト部材と、グランド部材とを組み合わせてなる構造体を示す斜視図である。
【図１２】図１１の構造体を示す正面図である。
【図１３】図１１の構造体を示す側面図である。
【図１４】図１２の構造体をXIV--XIV線に沿って示す断面図である。
【図１５】図１４の構造体の一部を示す拡大図である。
【図１６】特許文献１のコネクタを示す分解斜視図である。
【発明を実施するための形態】
【００１６】
図１及び図２を参照すると、本発明の実施の形態によるコネクタ１０は、相手側ロック部（図示せず）を有する相手側コネクタ（図示せず）と前後方向（Ｘ方向）に沿って嵌合可能なものである。図１に示されるように、本実施の形態のコネクタ１０は、２つのコンタクト部材２０Ｕ，２０Ｌと、金属製のグランド部材８０と、絶縁体からなる保持部材１３０と、金属製のシェル１４０と、２つの金属製の付属部材１５０とを備えている。図１及び図２から理解されるように、保持部材１３０は、コンタクト部材２０Ｕ，２０Ｌとグランド部材８０をまとめて保持している。シェル１４０は、保持部材１３０を部分的に覆っている。付属部材１５０の夫々は、保持部材１３０とシェル１４０との間に収容され、シェル１４０に接続されている。
【００１７】
図１並びに図１１乃至図１３から理解されるように、２つのコンタクト部材２０Ｕ，２０Ｌは、互いに同一構造を有している。以下においては、主として、上側のコンタクト部材２０Ｕについて図面を参照して説明し、下側のコンタクト部材２０Ｌについての説明は特に注意を要する事項を除き省略する。
【００１８】
図３乃至図６に示されるように、コンタクト部材２０Ｕは、複数の導電体からなるコンタクト３０と、絶縁体からなる整列部材４０とを備えている。整列部材４０は、コンタクト３０をピッチ方向（横方向：Ｙ方向）に整列させると共に保持するものである。本実施の形態によるコンタクト３０は、インサート成型により、整列部材４０の形成時に整列部材４０に部分的に埋め込まれている。但し、本発明はこれに限定されるわけではなく、コンタクト３０は整列部材４０に圧入されていてもよい。
【００１９】
図１及び図２から理解されるように、各コンタクト３０は、後側（−Ｘ側）において、パドルカード２００のパッド２１０に接続される。
【００２０】
図４及び図５に示されるように、整列部材４０には、２つの凹部５０と、２つの圧入突起６０と、島状突起７０とが設けられている。凹部５０と圧入突起６０とは夫々対応している。
【００２１】
図７に最もよく示されるように、各圧入突起６０は、対応する凹部５０内から突出方向（下方：−Ｚ方向）に突出しており、各凹部５０は、突出方向と逆方向（上方：＋Ｚ方向）に凹んでいる。このように上側のコンタクト部材２０Ｕについては突出方向は下方（−Ｚ方向）であり、凹部５０の凹んでいる方向は上方（＋Ｚ方向）である。これに対して、図１から理解されるように、下側のコンタクト部材２０Ｌについては突出方向は上方であり、凹部５０の凹んでいる方向は下方となる。
【００２２】
図７乃至図９に示されるように、各圧入突起６０は、突出方向に延びる主突部６２と、複数の副突部６４とを有している。副突部６４の夫々は、主突部６２から突出方向と直交する方向に突出すると共に突出方向に延びている。即ち、副突部６４は、突出方向と直交する平面である水平面（ＸＹ平面）内において、主突部６２から放射状に延びている。図８に最もよく示されるように、本実施の形態において、副突部６４の数は４であり、副突部６４は水平面内において等間隔に並んでいる。詳しくは、図８に示されるように、主突部６２は、水平面内において、角丸正方形形状を有している。副突部６４は、水平面内において、主突部６２の各辺から外側に円弧状に突出している。図７及び図９に示されるように、本実施の形態の圧入突起６０は、突出方向の先端にテーパがつけられている。
【００２３】
図４、図５、図７及び図８に示されるように、島状突起７０は、突出方向に突出すると共に突出方向と直交する所定方向に長手を有するように延びている。本実施の形態において、所定方向は、前後方向（Ｘ方向）であるが、本発明はこれに限定されるわけではなく、例えば、ピッチ方向であってもよい。図８に最もよく示されるように、島状突起７０の所定方向におけるサイズは、圧入突起６０の所定方向におけるサイズよりも大きい。一方、図６及び図９に示されるように、島状突起７０の突出方向におけるサイズは、圧入突起６０の突出方向におけるサイズと同じである。図７及び図９に示されるように、本実施の形態の島状突起７０は、突出方向の先端にテーパがつけられている。
【００２４】
図１０に示されるように、グランド部材８０は、平板状の主部９０と、弾性変形可能なロックバネ部１００と、相手側ロック部（図示せず）をロックするロック部１１０とを有している。ロック部１１０は、ロックバネ部１００に支持されている。
【００２５】
グランド部材８０の主部９０には、４つの孔９４と、２つの突起収容部９６が形成されている。２つの突起収容部９６は、グランド部材８０のピッチ方向における中心を通り前後方向に延びる直線から等距離の位置にある。４つの孔９４は、四角形状に配置されており、そのうち、対角上に位置している２つの孔９４がペアを構成している。このことから理解されるように、一方のペアの孔９４と他方のペアの孔９４とは、グランド部材８０のピッチ方向における中心を通り前後方向に延びる直線に対して互いに線対称となるように配置されている。更に、そのペアの孔９４のうち、前方（＋Ｘ側）に位置する孔９４と隣り合う突起収容部９６が１つの組を形成している。換言すると、グランド部材８０の主部９０には、２つの孔９４と１つの突起収容部９６とからなる組が２組形成されている。各組の孔９４と突起収容部９６とは、上側のコンタクト部材２０Ｕ及び下側のコンタクト部材２０Ｌの一方と対応している。
【００２６】
図１０及び図１４から理解されるように、孔９４は、夫々、圧入突起６０に対応しており、突起収容部９６は、夫々、島状突起７０に対応している。図１４に示されるように、圧入突起６０は対応する孔９４に圧入されており、島状突起７０は対応する突起収容部９６に収容されている。本実施の形態においては、圧入突起６０や島状突起７０の先端にテーパがつけられているので、圧入突起６０を孔９４に圧入しやすく、島状突起７０を突起収容部９６に収容しやすい。
【００２７】
また、孔９４及び突起収容部９６は、グランド部材８０のピッチ方向における中心を通り且つ前後方向に延びる直線に対して線対称に配置されているため、コンタクト部材２０Ｕ，２０Ｌは同一構造を有することができる。即ち、圧入突起６０や島状突起７０の配置をコンタクト部材２０Ｕ，２０Ｌごとに変える必要がない。加えて、孔９４及び突起収容部９６が上述したような配置をしていることから、コンタクト部材２０Ｕ，２０Ｌをグランド部材８０と組み合わせて得られる構造体１２０は、図１２及び図１３に示されるように、上下左右において対称な構造を有している。
【００２８】
図６、図９及び図１２から理解されるように、グランド部材８０の主部９０の厚み（Ｚ方向のサイズ）は、圧入突起６０や島状突起７０の高さ（Ｚ方向の突出量）とほぼ同じである。正確には、製造公差を考慮し、グランド部材８０の主部９０の厚みは、圧入突起６０や島状突起７０の高さよりも大きく設定されている。そのため、本実施の形態においては、基本的には、上側のコンタクト部材２０Ｕの圧入突起６０や島状突起７０が下側のコンタクト部材２０Ｌの整列部材４０に突き当たることはなく、同様に、下側のコンタクト部材２０Ｌの圧入突起６０や島状突起７０が上側のコンタクト部材２０Ｕの整列部材４０に突き当たることもない。
【００２９】
ここで、孔９４及び突起収容部９６の形状について更に詳しく説明する。図１５に示されるように、孔９４は、角丸四角形の形状を有している。図１５から理解されるように、水平面内において、孔９４は、圧入突起６０の主突部６２よりも大きい。換言すると、水平面内において、主突部６２は、グランド部材８０の主部９０の孔９４よりも小さい。従って、圧入突起６０を孔９４に圧入した場合、主突部６２の全体が孔９４に受容されることになる。しかし、副突部６４まで含めた場合、副突部６４の部分で圧入突起６０は孔９４の縁を超えている。そのため、圧入突起６０を孔９４に圧入すると、図８及び図１５から理解されるように、副突部６４が部分的に削れ、それによって整列部材４０に対してグランド部材８０をガタつくことなく取り付けることができる。なお、この圧入の際に生じた削れかすは、圧入突起６０に対応する凹部５０内に受容される。
【００３０】
図１５に示されるように、突起収容部９６は、水平面内において、グランド部材８０の主部９０の前縁（端部）９２まで達している細長いスリット形状を有している。即ち、突起収容部９６は、主部９０の前縁９２において開いている。突起収容部９６の前後方向の最奥部分の形状は円弧状であり、その最奥部分から主部９０の前縁９２までは、一定の幅を有している。突起収容部９６の幅（Ｙ方向のサイズ）は、島状突起７０のピッチ方向のサイズよりもわずかに大きく、従って、本実施の形態においては、島状突起７０は、突起収容部９６によって特に削られることなく、受容される。即ち、本実施の形態においては、島状突起７０は、突起収容部９６に圧入されない。
【００３１】
図１０に示されるように、ロックバネ部１００の根元１０２から孔９４までの距離は、その根元１０２から突起収容部９６までの距離より短い。換言すると、図１４に示されるように、ロックバネ部１００の根元１０２から圧入突起６０までの距離は、その根元１０２から島状突起７０までの距離より短い。このように、スリット状の突起収容部９６をロックバネ部１００から遠ざけていることから、グランド部材８０の強度を確保できる。
【００３２】
図１４に示されるように、圧入突起６０を孔９４に圧入し且つ島状突起７０を突起収容部９６に収容すると、図１１乃至図１３に示されるように、上側のコンタクト部材２０Ｕと下側のコンタクト部材２０Ｌとグランド部材８０とが一体化され、構造体１２０が構成される。図８及び図１５から理解されるように、本実施の形態においては、副突部６４の数は４であり、副突部６４は水平面内において等間隔に並んでいることから、圧入過程において、水平面内において主突部６２の中心と孔９４の中心とを比較的合わせやすい。加えて、仮に圧入時における副突部６４の削れ方に偏りが出そうな場合でも、島状突起７０が突起収容部９６に収容されることにより、水平面内におけるグランド部材８０と整列部材４０の位置関係にズレ（回転ズレ）が生じることを抑制することができる。
【００３３】
このようにして構成された構造体１２０は、図１及び図２から予想されるように、保持部材１３０に対して後方（−Ｘ側）から挿入され、それによって、保持部材１３０に保持される。即ち、コンタクト部材２０Ｕ，２０Ｌとグランド部材８０は、まとめて保持部材１３０に保持される。
【００３４】
以上、本発明について具体的に説明してきたが、本発明はこれに限定されるわけではなく、様々な変形が可能である。
【００３５】
上述した実施の形態の突起収容部９６は、グランド部材８０の主部９０の前縁９２まで達していたが、突起収容部９６は前縁９２まで達していなくてもよい。即ち、突起収容部９６は、前縁９２等において開放されていない（即ち、閉じた）貫通孔であってもよい。
【００３６】
上述した実施の形態のコネクタ１０は、２つのコンタクト部材２０Ｕ，２０Ｌを備えていたが、いずれか一方のみを備えていてもよい。コンタクト部材２０Ｕ，２０Ｌを１つのみ備えている場合には、グランド部材８０の主部９０に形成される孔９４及び突起収容部９６も一組とすることができる。
【００３７】
上述した実施の形態において、グランド部材８０の主部９０に形成される孔９４及び突起収容部９６は、グランド部材８０のピッチ方向における中心を通り且つ前後方向に延びる直線に対して線対称に配置されていたが、同一構造のコンタクト部材２０Ｕ，２０Ｌをグランド部材８０と組み合わせて、上下左右において対象な構造を持たせるためであり、そのような必要がない場合には、孔９４及び突起収容部９６は、線対称に配置されていなくてもよい。
【符号の説明】
【００３８】
１０        コネクタ
２０Ｕ，２０Ｌ        コンタクト部材
３０        コンタクト
４０        整列部材
５０        凹部
６０        圧入突起
６２        主突部
６４        副突部
７０        島状突起
８０        グランド部材
９０        主部
９２        前縁
９４        孔
９６        突起収容部
１００        ロックバネ部
１０２        根元
１１０        ロック部
１２０        構造体
１３０        保持部材
１４０        シェル
１５０        付属部材
２００        パドルカード
２１０        パッド
【図１】
2015230771.tif 000003
【図２】
2015230771.tif 000004
【図３】
2015230771.tif 000005
【図４】
2015230771.tif 000006
【図５】
2015230771.tif 000007
【図６】
2015230771.tif 000008
【図７】
2015230771.tif 000009
【図８】
2015230771.tif 000010
【図９】
2015230771.tif 000011
【図１０】
2015230771.tif 000012
【図１１】
2015230771.tif 000013
【図１２】
2015230771.tif 000014
【図１３】
2015230771.tif 000015
【図１４】
2015230771.tif 000016
【図１５】
2015230771.tif 000017
【図１６】
2015230771.tif 000018